【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
ワークピースのバッチを電気めっきすることによって複数の物品を製造するための方法であって、
ワークピースのバッチの少なくとも一部を、格納装置の少なくとも一部と接触する電着槽と接触させるステップであって、前記電着槽は、少なくとも第１および第２の電着可能材料を含む、ステップと、
前記格納装置を所定の動きで移動させることにより、前記ワークピースのバッチの一部を移動させるステップと、
前記ワークピースのバッチの一部と少なくとも断続的に電気接触する少なくとも２つのカソード接点を介して第１の時間、第１の電流を印加することによって、前記バッチ内の前記ワークピースの少なくとも一部に第１の識別可能層を電着するステップであって、前記第１の識別可能層は、少なくとも前記第１および第２の電着可能材料を含む、ステップと、
前記カソード接点を介して第２の時間、第２の電流を印加することによって、前記バッチ内の前記ワークピースの一部に第２の識別可能層を電着するステップであって、前記第２の識別可能層は、少なくとも前記第１および第２の電着可能材料を含み、前記第２の識別可能層の組成、粒径、構造、もしくは厚さ、またはそれらの組み合わせは、前記第１の識別可能層のものと異なる、ステップと、
を含む、方法。
【請求項２】
前記格納装置は、バレルめっき装置、振動バスケットめっき装置、またはロッカーめっき装置であり、
前記第１の電流、前記第１の時間、前記第２の電流、および前記第２の時間からなるグループから選択される少なくとも１つのパラメータは、前記格納装置に適用可能な１つまたは複数のパラメータに少なくとも一部基づいて決定され、前記格納装置に適用可能な前記パラメータは、装填比、装填体積割合、見かけの装填量、長さ比、充填体積、ＲＰＭ、周波数、振幅、前記格納装置の移動速度、チャター、混合速度、またはそれらの組み合わせからなるグループから選択されるか、または
前記格納装置の容積に対する前記格納装置に装填される物品の充填体積の比は、７０％未満であるか、または、
前記第１および第２の時間のそれぞれは、約２分から約１０分の範囲であるか、または、
前記第１の電流は、２０アンペアから７０アンペアの間であるか、または前記第２の電流は、約４０アンペアから約１４０アンペアの範囲であるか、または、
前記第１の電流、前記第２の電流、またはその両方に関連する前記電圧は、約３ボルトから約８ボルトの範囲であるか、または、
前記少なくとも２つのカソード接点は、前記ワークピースのバッチの一部と少なくとも実質的に連続的に接触するか、または、
前記複数の物品のうちの各物品上の１つまたは複数の位置における電着層の合計厚さは、独立して約６ミクロンから約１４ミクロンであるか、または、
前記複数の物品における前記第１および第２の電着可能材料は、Ｎｉ、Ｚｎ、Ｆｅ、Ｃｕ、Ａｕ、Ａｇ、Ｐｄ、Ｓｎ、Ｍｎ、Ｃｏ、Ｐｂ、Ａｌ、Ｔｉ、Ｍｇ、Ｗ、Ｒｈ、およびＣｒからなるグループから選択される少なくとも２つの元素を含む、
請求項１に記載の方法。
【請求項３】
前記格納装置の前記容積に対する前記格納装置に装填される物品の体積の比は、約１０％から約４０％である、請求項２に記載の方法。
【請求項４】
前記複数の物品において、前記第１の識別可能層、前記第２の識別可能層、またはその両方は、ＮｉとＺｎ、ＮｉとＣｏ、ＮｉとＣｒ、およびＺｎとＦｅからなるグループから選択される少なくとも２つの金属を含むか、または、
前記複数の物品は、同じ形状を有する大多数の物品を含み、前記大多数は物品の総数の少なくとも７０％を含むか、または、
前記１つまたは複数の位置は、非ねじ表面を含むか、または、
前記複数の物品は、少なくとも０．２５ｋｇの重さのスタッドを含む、
請求項１に記載の方法。
【請求項５】
前記複数の物品上の１つまたは複数の位置において、前記第１の識別可能層、前記第２の識別可能層、またはその両方は、１３％から１７％のＮｉを含むか、または、
前記複数の物品上の１つまたは複数の位置において、前記第１の識別可能層、前記第２の識別可能層、またはその両方は、８３％から８７％のＺｎを含むか、または、
前記複数の物品は、スタッドを含み、前記格納装置は、ロッカーめっき装置である、
請求項１から４のいずれか１項に記載の方法。
【請求項６】
複数のワークピース上にナノラミネートコーティングを形成することによって複数の物品を形成する方法であって、
前記複数のワークピースの少なくとも一部をめっきバレルの内部容積と接触する電着槽と接触させるステップであって、前記電着槽は、少なくとも第１および第２の電着可能材料を含み、前記ワークピースはそれぞれ独立して最長寸法を有し、前記めっきバレルは長さと半径を有する、ステップと、
めっきバレルを回転させるステップと、
前記めっきバレルの前記内部容積内に位置する端部を有する少なくとも２つのカソードを介して第１の時間、第１の電流を印加することによって、前記複数のワークピースの少なくとも一部に第１の識別可能層を電着するステップであって、前記端部は、ある距離だけ分離されており、前記第１の識別可能層は、少なくとも前記第１および第２の電着可能材料を含む、ステップと、
前記少なくとも２つのカソードを介して第２の時間、第２の電流を印加することによって、前記複数のワークピースの前記一部に第２の識別可能層を電着するステップであって、前記第２の識別可能層は、少なくとも前記第１および第２の電着可能材料を含み、前記第２の識別可能層の組成、粒径、構造、および厚さ、またはそれらの組み合わせの少なくとも１つは、前記第１の識別可能層のものと異なる、ステップと、を含み、
前記少なくとも２つのカソードを介して追加の電流を印加することによって、前記複数のワークピースの一部に追加の識別可能層を電着するステップをさらに含み、前記追加の層は、少なくとも前記第１および第２の電着可能材料を含み、前記追加の層の組成、粒径、構造、および厚さ、またはそれらの組み合わせの少なくとも１つは、隣接する層のものと異なり、
前記ナノラミネートコーティングは、個々の層がそれぞれ１０，０００ナノメートル未満の厚さを有する２以上の層を含むコーティングである、
方法。
【請求項７】
前記第１の電流は、第１の時変波形であるか、または、
前記第２の電流は、第２の時変波形であるか、または、
前記めっきバレルの前記内部容積に対する前記めっきバレルに装填された前記複数のワークピースの充填体積の比は、７０％未満であるか、または、
前記めっきバレルは、前記第１および第２の電流の印加中に４ＲＰＭから１０ＲＰＭで回転するか、または、
前記第１および第２の時間のそれぞれは、約２分から約１０分の範囲であるか、または、
前記第１の電流は、２０アンペアから７０アンペアの間であるか、または、
前記第２の電流は、約４０アンペアから約１４０アンペアの範囲であるか、または、
前記第１の電流、前記第２の電流、またはその両方に関連する前記電圧は、約３ボルトから約８ボルトの範囲である、
請求項６に記載の方法。
【請求項８】
前記第１の識別可能層は、前記ワークピース上の１つまたは複数の位置において約１５０ナノメートルから約１０，０００ナノメートルの範囲の厚さを有するか、または、
前記第２の識別可能層は、前記ワークピース上の１つまたは複数の位置において約１５０ナノメートルから約１０，０００ナノメートルの範囲の厚さを有するか、または、
前記複数のワークピースのそれぞれの上の１つまたは複数の位置における前記第１および第２の識別可能層の合計厚さは、約６から約１４ミクロンの範囲であるか、または、
前記めっきバレルの前記半径に対する前記複数のワークピースの前記最長寸法の比は、１．３未満であるか、または、
前記第１および第２の電着可能材料は、Ｎｉ、Ｚｎ、Ｆｅ、Ｃｕ、Ａｕ、Ａｇ、Ｐｄ、Ｓｎ、Ｍｎ、Ｃｏ、Ｐｂ、Ａｌ、Ｔｉ、Ｍｇ、Ｗ、Ｒｈ、およびＣｒからなるグループから選択される少なくとも２つの元素を独立して含む、
請求項６または７に記載の方法。
【請求項９】
前記めっきバレルの容積に対する前記めっきバレルに装填された前記複数のワークピースの体積の比は、約１０％から約４０％の範囲である、請求項８に記載の方法。
【請求項１０】
前記第１の識別可能層、前記第２の識別可能層、またはその両方は、ＮｉとＺｎ、ＮｉとＣｏ、ＮｉとＣｒ、およびＺｎとＦｅからなるグループから選択される少なくとも２つの金属を独立して含むか、または、
前記複数の物品は、同じ形状を有する大多数の物品を含み、前記大多数は前記複数の物品の総数の少なくとも７０％を含む、
請求項６から９のいずれか１項に記載の方法。
【請求項１１】
前記複数の物品上の１つまたは複数の位置において、前記第１の識別可能層、前記第２の識別可能層、またはその両方は、約１３重量％から約１７重量％のＮｉを独立して含むか、または、
前記複数の物品上の１つまたは複数の位置において、前記第１の識別可能層、前記第２の識別可能層、またはその両方は、約８３重量％から約８７重量％のＺｎを独立して含むか、または、
前記１つまたは複数の位置は、非ねじ表面を含む、
請求項６から１０のいずれか１項に記載の方法。
【請求項１２】
ナノラミネートコーティングを含む物品であって、前記ナノラミネートコーティングは、
前記物品上の１つまたは複数の位置において約１５０ナノメートルから約１０，０００ナノメートルの範囲の厚さを有する第１の識別可能層であって、少なくとも第１および第２の成分を含み、第１の組成、第１の粒径、および第１の粒構造を有する、第１の識別可能層と、
前記物品上の１つまたは複数の位置において約１５０ナノメートルから約１０，０００ナノメートルの範囲の厚さを有する第２の識別可能層であって、前記第１および第２の成分を含み、第２の組成、第２の粒径、および第２の粒構造を有し、前記第２の組成、前記第２の粒径、および前記第２の粒構造、またはそれらの組み合わせの少なくとも１つは、前記第１の組成、前記第１の粒径、および前記第１の粒構造とは異なる、第２の識別可能層と、
前記第１および第２の識別可能層が前記基材表面に向かって内側に変形することを特徴とする１つまたは複数の不連続部と、を含み、
前記ナノラミネートコーティングは、個々の層がそれぞれ１０，０００ナノメートル未満の厚さを有する２以上の層を含むコーティングである、
物品。
【請求項１３】
前記物品は、前記物品上の１つまたは複数の位置に少なくとも６つの層を含むか、または、
前記第１および第２の識別可能層の合計厚さは、前記物品上の１つまたは複数の位置で６ミクロンから１４ミクロンであるか、または、
前記第１および第２の成分は、Ｎｉ、Ｚｎ、Ｆｅ、Ｃｕ、Ａｕ、Ａｇ、Ｐｄ、Ｓｎ、Ｍｎ、Ｃｏ、Ｐｂ、Ａｌ、Ｔｉ、Ｍｇ、Ｗ、Ｒｈ、またはＣｒを独立して含む、
請求項１２に記載の物品。
【請求項１４】
前記第１の識別可能層は、前記物品上の１つまたは複数の位置において約２２５ｎｍから約５００ｎｍの範囲の厚さを有するか、または
前記第２の識別可能層は、前記物品上の１つまたは複数の位置において約４００ｎｍから約１０００ｎｍの範囲の厚さを有するか、または、
前記第１の識別可能層、前記第２の識別可能層、または両方は、ＮｉおよびＺｎ、ＮｉおよびＣｏ、ＮｉおよびＣｒ、またはＺｎおよびＦｅを独立して含むか、または、
前記１つまたは複数の位置は、非ねじ表面を含む、
請求項１２または１３に記載の物品。
【請求項１５】
前記第１の識別可能層、前記第２の識別可能層、または両方は、前記物品の１つまたは複数の位置において約１３重量％から約１７重量％のＮｉを独立して含むか、または、
前記第１の識別可能層、前記第２の識別可能層、または両方は、前記物品の１つまたは複数の位置において約８３重量％から約８７重量％のＺｎを独立して含むか、または、
前記１つまたは複数の位置は、ねじ付き表面を含む、
請求項１２から１４のいずれか１項に記載の物品。